【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
酸成分と、グリコール成分と、０〜約５．０モルパーセントの、多官能酸、アルコールおよびそれらの混合物から選択される多官能分岐化剤と、任意成分としての有効量の着色抑制剤とを含む、芳香族コポリエーテルエステルであって、
ここで前記酸成分が、
ａ．１００モルパーセントの全酸成分を基準にして、９９．０〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、から本質的になり、
そしてここで、前記グリコール成分が：
ａ．１００モルパーセントの全グリコール成分を基準にして、約９８．９〜約１．０モルパーセントの、エチレングリコール、１，３−プロパンジオールおよび１，４−ブタンジオールから選択される単一の第一のグリコール、
ｂ．１００モルパーセントの全グリコール成分を基準にして、０．１〜３０．０モルパーセントのポリ（アルキレンエーテル）グリコール、
ｃ．１００モルパーセントの全グリコール成分を基準にして、０〜約５．０モルパーセントの、１種または複数のその他のグリコール、および
ｄ．０〜約５．０モルパーセントの多官能分岐化剤、を含む
芳香族コポリエーテルエステル。
【請求項２】
請求項１に記載の芳香族コポリエーテルエステルと、少なくとも１種の他のポリマーとを含む、ブレンド。
【請求項３】
請求項１に記載の芳香族コポリエーテルエステルから成形された成形物品。
【請求項４】
請求項１に記載の芳香族コポリエーテルエステルを含む、フィルム。
【請求項５】
請求項１に記載の芳香族コポリエーテルエステルを含む層を含む、多層フィルム。
【請求項６】
基材と、前記基材の上のコーティングとを含み、前記コーティングが請求項１に記載の芳香族コポリエーテルエステルを含む、物品。
【請求項７】
請求項１に記載の芳香族コポリエーテルエステルがその上に積層されている基材を含む、物品。
【請求項８】
請求項７に記載の物品を含む、包装材料。
【請求項９】
請求項１に記載の芳香族コポリエーテルエステルを含む、ラップ。
【請求項１０】
請求項１に記載の芳香族コポリエーテルエステルを含む、シート。
【請求項１１】
請求項１に記載の芳香族コポリエーテルエステルを含む、繊維。
【請求項１２】
包装材料を製造するための方法であって、
基材を提供する工程；
前記基材を所望の包装材料の形態に成形する工程；
酸成分と、グリコール成分と、０〜約５．０モルパーセントの、多官能酸、アルコールおよびそれらの混合物から選択される多官能分岐化剤と、任意成分としての有効量の着色抑制剤とから本質的になる芳香族コポリエーテルエステルを提供する工程であって、
ここで前記酸成分が、
ａ．１００モルパーセントの全酸成分を基準にして、９９．０〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、から本質的になり、
そしてここで、前記グリコール成分が：
ａ．約９８．９〜約１．０モルパーセントの、エチレングリコール、１，３−プロパンジオールおよび１，４−ブタンジオールから選択される単一の第一のグリコール、
ｂ．０．１〜３０．０モルパーセントのポリ（アルキレンエーテル）グリコール、
ｃ．１００モルパーセントの全グリコール成分を基準にして、０〜約５．０モルパーセントの、１種または複数のその他のグリコール、および
ｅ．０〜約５．０モルパーセントの多官能分岐化剤、および
ｆ．１００モルパーセントの全グリコール成分を基準にして、０〜約５．０モルパーセントの、１種または複数のその他のグリコール成分、を含む、工程；および
前記芳香族コポリエーテルエステルを用いて、前記基材を積層またはコーティングして前記包装材料を形成させる工程、
を含む方法。
【請求項１３】
芳香族コポリエーテルエステルを製造するための方法であって、
芳香族ジカルボン酸成分と、ヒドロキシアルカン酸成分と、単一の第一のグリコールと、ポリ（アルキレンエーテル）グリコールと、場合によってはその他のグリコールと、場合によっては有効量の着色抑制剤と、場合によっては多官能分岐化剤とを含む反応混合物を提供する工程；および
前記ジカルボン酸成分と、前記ヒドロキシアルカン酸成分と、前記単一の第一のグリコールと、前記ポリ（アルキレンエーテル）グリコールと、前記任意成分のその他のグリコールと、前記多官能分岐化剤とを重合させて、酸成分とグリコール成分とを含む芳香族コポリエーテルエステルを形成させる工程であって、
ここで前記酸成分が、
ａ．１００モルパーセントの全酸成分を基準にして、９９．０〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分から本質的になり、
そしてここで、前記グリコール成分が：
ａ．約９８．９〜約１．０モルパーセントの、エチレングリコール、１，３−プロパンジオールおよび１，４−ブタンジオールから選択される単一の第一のグリコール、
ｂ．０．１〜３０．０モルパーセントのポリ（アルキレンエーテル）グリコール、
ｃ．１００モルパーセントの全グリコール成分を基準にして、０〜約５．０モルパーセントの、１種または複数のその他のグリコール、および
ｄ．０〜約５．０モルパーセントの多官能分岐化剤、を含む工程、を含む方法。
【手続補正２】
【補正対象書類名】明細書
【補正対象項目名】０２６８
【補正方法】変更
【補正の内容】
【０２６８】
表２０
2008506020.tif 000001
次に、本発明の好ましい態様を示す。
1.  酸成分と、グリコール成分と、０〜約５．０モルパーセントの、多官能酸、アルコールおよびそれらの混合物から選択される多官能分岐化剤と、任意成分としての有効量の着色抑制剤とを含む、芳香族コポリエーテルエステルであって、
ここで前記酸成分が、
ａ．１００モルパーセントの全酸成分を基準にして、９９．０〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、から本質的になり、
そしてここで、前記グリコール成分が：
ａ．１００モルパーセントの全グリコール成分を基準にして、約９８．９〜約１．０モルパーセントの、エチレングリコール、１，３−プロパンジオールおよび１，４−ブタンジオールから選択される単一の第一のグリコール、
ｂ．１００モルパーセントの全グリコール成分を基準にして、０．１〜３０．０モルパーセントのポリ（アルキレンエーテル）グリコール、
ｃ．１００モルパーセントの全グリコール成分を基準にして、０〜約５．０モルパーセントの、１種または複数のその他のグリコール、および
ｄ．０〜約５．０モルパーセントの多官能分岐化剤、を含む
芳香族コポリエーテルエステル。
2.  トリフルオロ酢酸：ジクロロメタン（５０：５０溶液）溶媒系中の前記コポリエステルの０．５パーセント溶液について室温で測定したときに、少なくとも０．１５のインヘレント粘度を有する、上記１に記載の芳香族コポリエーテルエステル。
3.  前記インヘレント粘度が少なくとも０．３５ｄＬ／ｇである、上記２に記載の芳香族コポリエーテルエステル。
4.  ９９〜３０モルパーセントの前記芳香族ジカルボン酸成分を含む、上記１に記載の芳香族コポリエーテルエステル。
5.  ９９〜５０モルパーセントの前記芳香族ジカルボン酸成分を含む、上記１に記載の芳香族コポリエーテルエステル。
6.  ９５〜５０モルパーセントの前記芳香族ジカルボン酸成分を含む、上記１に記載の芳香族コポリエーテルエステル。
7.  １〜７０モルパーセントの前記ヒドロキシアルカン酸成分を含む、上記１に記載の芳香族コポリエーテルエステル。
8.  １〜５０モルパーセントの前記ヒドロキシアルカン酸成分を含む、上記１に記載の芳香族コポリエーテルエステル。
9.  ５〜５０モルパーセントの前記ヒドロキシアルカン酸成分を含む、上記１に記載の芳香族コポリエーテルエステル。
10.  ０．１〜２０モルパーセントの前記ポリ（アルキレンエーテル）グリコールを含む、上記１に記載の芳香族コポリエーテルエステル。
11.  ０．１〜１５モルパーセントの前記ポリ（アルキレンエーテル）グリコールを含む、上記１に記載の芳香族コポリエーテルエステル。
12.  前記グリコール成分が、０〜１．０モルパーセントの前記多官能分岐化剤を含む、上記１に記載の芳香族コポリエーテルエステル。
13.  前記ヒドロキシアルカン酸成分が、乳酸、ＤＬ−乳酸、Ｌ−乳酸、グリコール酸、乳酸メチル、（Ｒ）−（＋）−乳酸メチル、（Ｓ）−（−）−乳酸メチル、グリコール酸メチル、乳酸エチル、（Ｒ）−（＋）−乳酸エチル、（Ｓ）−（−）−乳酸エチル、グリコール酸エチル、乳酸（２−ヒドロキシエチル）、（Ｒ）−（＋）−乳酸（２−ヒドロキシエチル）、（Ｓ）−（−）−乳酸（２−ヒドロキシエチル）、乳酸（３−ヒドロキシプロピル）、（Ｒ）−（＋）−乳酸（３−ヒドロキシプロピル）、（Ｓ）−（−）−乳酸（３−ヒドロキシプロピル）、乳酸（４−ヒドロキシブチル）、グリコール酸（２−ヒドロキシエチル）、グリコール酸（３−ヒドロキシプロピル）、グリコール酸（４−ヒドロキシブチル）、ラクチド、３，６−ジメチル−１，４−ジオキサン−２，５−ジオン、Ｌ−ラクチド、（３−Ｓ−ｃｉｓ）−３，６−ジメチル−１，４−ジオキサン−２，５−ジオン、グリコリド、ポリ（ラクチド）、ポリ（ＤＬ−ラクチド）、ポリ（グリコリド）ならびにそれらから誘導される混合物から選択される、上記１に記載の芳香族コポリエーテルエステル。
14.  前記その他のグリコールが、エチレングリコール、１，３−プロパンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、トリ（エチレングリコール）、分子量範囲が約５００〜約４０００のポリ（アルキレンエーテル）グリコール、およびそれらから誘導される混合物から選択される、上記１に記載の芳香族コポリエーテルエステル。
15.  前記芳香族ジカルボン酸成分が、テレフタル酸、テレフタル酸ジメチル、テレフタル酸ビス（２−ヒドロキシエチル）、テレフタル酸ビス（３−ヒドロキシプロピル）、テレフタル酸ビス（４−ヒドロキシブチル）、イソフタル酸、イソフタル酸ジメチル、イソフタル酸ビス（２−ヒドロキシエチル）、イソフタル酸ビス（３−ヒドロキシプロピル）、イソフタル酸ビス（４−ヒドロキシブチル）；２，６−ナフタレンジカルボン酸、２，６−ナフタル酸ジメチル、２，７−ナフタレンジカルボン酸、２，７−ナフタル酸ジメチル、３，４’−ジフェニルエーテルジカルボン酸、３，４’ジフェニルエーテルジカルボン酸ジメチル、４，４’−ジフェニルエーテルジカルボン酸、４，４’−ジフェニルエーテルジカルボン酸ジメチル、３，４’−ジフェニルスルフィドジカルボン酸、３，４’−ジフェニルスルフィドジカルボン酸ジメチル、４，４’−ジフェニルスルフィドジカルボン酸、４，４’−ジフェニルスルフィドジカルボン酸ジメチル、３，４’−ジフェニルスルホンジカルボン酸、３，４’−ジフェニルスルホンジカルボン酸ジメチル、４，４’−ジフェニルスルホンジカルボン酸、４，４’−ジフェニルスルホンジカルボン酸ジメチル、３，４’−ベンゾフェノンジカルボン酸、３，４’−ベンゾフェノンジカルボン酸ジメチル、４，４’−ベンゾフェノンジカルボン酸、４，４’−ベンゾフェノンジカルボン酸ジメチル、１，４−ナフタレンジカルボン酸、１，４−ナフタル酸ジメチル、４，４’−メチレンビス（安息香酸）、４，４’−メチレンビス（安息香酸）ジメチル、およびそれらから誘導される混合物から選択される、上記１に記載の芳香族コポリエーテルエステル。
16.  前記分岐化剤が、１，２，４−ベンゼントリカルボン酸；１，２，４−ベンゼントリカルボン酸トリメチル；１，２，４−ベンゼントリカルボン酸トリス（２−ヒドロキシエチル）；１，２，４−ベンゼントリカルボン酸トリス（３−ヒドロキシプロピル）；１，２，４−ベンゼントリカルボン酸トリス（４−ヒドロキシブチル）；１，２，４−ベンゼントリカルボン酸無水物；１，３，５−ベンゼントリカルボン酸；１，２，４，５−ベンゼンテトラカルボン酸；１，２，４，５−ベンゼンテトラカルボン酸二無水物；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール；グリセロール；２−（ヒドロキシメチル）−１，３−プロパンジオール；２，２−ビス（ヒドロキシメチル）プロピオン酸；およびそれらから誘導される混合物から選択される、上記１に記載の芳香族コポリエーテルエステル。
17.  少なくとも約０．３５ｄＬ／ｇのインヘレント粘度を有する、上記１に記載の芳香族コポリエーテルエステル。
18.  少なくとも約０．６５ｄＬ／ｇのインヘレント粘度を有する、上記１に記載の芳香族コポリエーテルエステル。
19.  充填剤をさらに含む、上記１に記載の芳香族コポリエーテルエステル。
20.  前記充填剤が、第一の平均粒径を有する第一の粒子の組と、第二の平均粒径を有する第二の粒子の組とを含み、第二の平均粒径が、前記第一の平均粒径の少なくとも約２倍である、上記１９に記載の芳香族コポリエーテルエステル。
21.  前記充填剤が、約４０ミクロン未満の平均直径を有する粒子から本質的になる、上記１９に記載の芳香族コポリエーテルエステル。
22.  前記充填剤が、約２０ミクロン未満の平均直径を有する粒子から本質的になる、上記１９に記載の芳香族コポリエーテルエステル。
23.  上記１に記載の芳香族コポリエーテルエステルと、少なくとも１種の他のポリマーとを含む、ブレンド。
24.  前記他のポリマーが生分解性である、上記２３に記載のブレンド。
25.  前記生分解性ポリマーが、ポリ（ヒドロキシアルカノエート）、ポリカーボネート、ポリ（カプロラクトン）、脂肪族ポリエステル、芳香族コポリエステル、脂肪族−芳香族コポリエーテルエステル、脂肪族−芳香族コポリアミドエステル、スルホン化脂肪族−芳香族コポリエステル、スルホン化脂肪族−芳香族コポリエーテルエステル、スルホン化脂肪族−芳香族コポリアミドエステル、およびそれらから誘導される混合物から選択される、上記２４に記載のブレンド。
26.  前記他のポリマーが非生分解性である、上記２４に記載のブレンド。
27.  前記他のポリマーが天然ポリマーである、上記２４に記載のブレンド。
28.  前記天然ポリマーがデンプンである、上記２７に記載のブレンド。
29.  上記１に記載の芳香族コポリエーテルエステルから成形された成形物品。
30.  フィルム、シート、繊維、メルトブローン容器、成形部品、および発泡部品から選択される、上記２９に記載の成形物品。
31.  上記１に記載の芳香族コポリエーテルエステルを含む、フィルム。
32.  約０．０２５ｍｍ〜約０．１５ｍｍの厚みを有する、上記３１に記載のフィルム。
33.  上記３１に記載の配向フィルム。
34.  前記フィルムが２軸配向されている、上記３３に記載のフィルム。
35.  前記フィルムが１軸配向されている、上記３３に記載のフィルム。
36.  上記１に記載の芳香族コポリエーテルエステルを含む層を含む、多層フィルム。
37.  基材と、前記基材の上のコーティングとを含み、前記コーティングが上記１に記載の芳香族コポリエーテルエステルを含む、物品。
38.  前記コーティングが、約０．２〜約１５ミルの厚みを有する、上記３７に記載の物品。
39.  前記コーティングが、約０．５〜約２ミルの厚みを有する、上記３７に記載の物品。
40.  前記基材が、織物、不織布、フォイル、紙、板紙、および金属から選択される、上記３７に記載の物品。
41.  上記１に記載の芳香族コポリエーテルエステルがその上に積層されている基材を含む、物品。
42.  前記基材が、紙、板紙、厚紙、ファイバーボード、セルロース、デンプン、プラスチック、ポリスチレンフォーム、ガラス、金属、ポリマーフォーム、有機フォーム、無機フォーム、有機−無機フォーム、およびポリマーフィルムから選択される、上記４１に記載の物品。
43.  上記４１に記載の物品を含む、包装材料。
44.  上記１に記載の芳香族コポリエーテルエステルを含む、ラップ。
45.  上記１に記載の芳香族コポリエーテルエステルを含む、シート。
46.  少なくとも約０．５０ｍｍの厚みを有する、上記４５に記載のシート。
47.  上記１に記載の芳香族コポリエーテルエステルを含む、繊維。
48.  約０．１〜約１００のデニールを有する、上記４７に記載の繊維。
49.  約０．５〜２０のデニールを有する、上記４７に記載の繊維。
50.  上記１に記載の芳香族コポリエーテルエステルと、少なくとも１種の他のポリマーとを含む、繊維。
51.  前記繊維が、前記芳香族コポリエーテルエステルと、１種または複数の天然繊維とのブレンドを含む、上記４７に記載の繊維。
52.  前記繊維が異種繊維である、上記４７に記載の繊維。
53.  上記１２に記載の芳香族コポリエーテルエステルを含む発泡物品。
54.  上記１２に記載の芳香族コポリエーテルエステルから成形された成形物品。
55.  フィルム、シート、繊維、メルトブローン容器、成形部品、および発泡部品から選択される、上記５４に記載の成形物品。
56.  上記１９に記載の芳香族コポリエーテルエステルを含む、フィルム。
57.  約０．０２５ｍｍ〜約０．１５ｍｍの厚みを有する、上記５６に記載のフィルム。
58.  上記５６に記載の配向フィルム。
59.  上記１９に記載の芳香族コポリエーテルエステルを含む層を含む、多層フィルム。
60.  基材と、前記基材の上のコーティングとを含み、前記コーティングが上記１９に記載の芳香族コポリエーテルエステルを含む、物品。
61.  上記１９に記載の芳香族コポリエーテルエステルがその上に積層されている基材を含む、物品。
62.  上記１９に記載の芳香族コポリエーテルエステルを含む、ラップ。
63.  上記１９に記載の芳香族コポリエーテルエステルを含む、シート。
64.  上記２３に記載のブレンドを含む、発泡物品。
65.  上記２３に記載のブレンドから成形される、成形物品。
66.  フィルム、シート、繊維、メルトブローン容器、成形部品、および発泡部品から選択される、上記６５に記載の成形物品。
67.  上記２３に記載のブレンドを含む、フィルム。
68.  約０．０２５ｍｍ〜約０．１５ｍｍの厚みを有する、上記６７に記載のフィルム。
69.  上記６７に記載の配向フィルム。
70.  上記２３に記載のブレンドを含む層を含む、多層フィルム。
71.  基材と、前記基材の上のコーティングとを含み、前記コーティングが上記１６に記載のブレンドを含む、物品。
72.  上記２３に記載のブレンドがその上に積層されている基材を含む、物品。
73.  上記２３に記載のブレンドを含む、ラップ。
74.  上記２３に記載のブレンドを含む、シート。
75.  包装材料を製造するための方法であって、
基材を提供する工程；
前記基材を所望の包装材料の形態に成形する工程；
酸成分と、グリコール成分と、０〜約５．０モルパーセントの、多官能酸、アルコールおよびそれらの混合物から選択される多官能分岐化剤と、任意成分としての有効量の着色抑制剤とから本質的になる芳香族コポリエーテルエステルを提供する工程であって、
ここで前記酸成分が、
ａ．１００モルパーセントの全酸成分を基準にして、９９．０〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分、から本質的になり、
そしてここで、前記グリコール成分が：
ａ．約９８．９〜約１．０モルパーセントの、エチレングリコール、１，３−プロパンジオールおよび１，４−ブタンジオールから選択される単一の第一のグリコール、
ｂ．０．１〜３０．０モルパーセントのポリ（アルキレンエーテル）グリコール、
ｃ．１００モルパーセントの全グリコール成分を基準にして、０〜約５．０モルパーセントの、１種または複数のその他のグリコール、および
ｅ．０〜約５．０モルパーセントの多官能分岐化剤、および
ｆ．１００モルパーセントの全グリコール成分を基準にして、０〜約５．０モルパーセントの、１種または複数のその他のグリコール成分、を含む、工程；および
前記芳香族コポリエーテルエステルを用いて、前記基材を積層またはコーティングして前記包装材料を形成させる工程、
を含む方法。
76.  前記基材が、紙、板紙、無機フォーム、有機フォーム、および無機−有機フォームから選択される材料を含む、上記７５に記載の方法。
77.  前記包装材料形態が、ラッパー、延伸ラップフィルム、袋物、コップ、トレー、カートン、箱、ビン、クレート、包装フィルム、プリスターパックラッパー、スキンパック、およびヒンジ付き容器から選択される、上記７５に記載の方法。
78.  前記芳香族コポリエーテルエステルが、９９〜３０モルパーセントの前記芳香族ジカルボン酸成分を含む、上記７５に記載の方法。
79.  前記芳香族コポリエーテルエステルが、９９〜５０モルパーセントの前記芳香族ジカルボン酸成分を含む、上記７５に記載の方法。
80.  前記芳香族コポリエーテルエステルが、９５〜５０モルパーセントの前記芳香族ジカルボン酸成分を含む、上記７５に記載の方法。
81.  前記芳香族コポリエーテルエステルが、１〜７０モルパーセントの前記ヒドロキシアルカン酸成分を含む、上記７５に記載の方法。
82.  前記芳香族コポリエーテルエステルが、１〜５０モルパーセントの前記ヒドロキシアルカン酸成分を含む、上記７５に記載の方法。
83.  前記芳香族コポリエーテルエステルが、５〜５０モルパーセントの前記ヒドロキシアルカン酸成分を含む、上記７５に記載の方法。
84.  前記芳香族コポリエーテルエステルが、０．１〜２０モルパーセントの前記ポリ（アルキレンエーテル）グリコールを含む、上記７５に記載の方法。
85.  前記芳香族コポリエーテルエステルが、０．１〜１５モルパーセントの前記ポリ（アルキレンエーテル）グリコールを含む、上記７５に記載の方法。
86.  前記グリコール成分が、０〜１．０モルパーセントの前記多官能分岐化剤を含む、上記７５に記載の方法。
87.  前記ヒドロキシアルカン酸成分が、乳酸、ＤＬ−乳酸、Ｌ−乳酸、グリコール酸、乳酸メチル、（Ｒ）−（＋）−乳酸メチル、（Ｓ）−（−）−乳酸メチル、グリコール酸メチル、乳酸エチル、（Ｒ）−（＋）−乳酸エチル、（Ｓ）−（−）−乳酸エチル、グリコール酸エチル、乳酸（２−ヒドロキシエチル）、（Ｒ）−（＋）−乳酸（２−ヒドロキシエチル）、（Ｓ）−（−）−乳酸（２−ヒドロキシエチル）、乳酸（３−ヒドロキシプロピル）、（Ｒ）−（＋）−乳酸（３−ヒドロキシプロピル）、（Ｓ）−（−）−乳酸（３−ヒドロキシプロピル）、乳酸（４−ヒドロキシブチル）、グリコール酸（２−ヒドロキシエチル）、グリコール酸（３−ヒドロキシプロピル）、グリコール酸（４−ヒドロキシブチル）、ラクチド、３，６−ジメチル−１，４−ジオキサン−２，５−ジオン、Ｌ−ラクチド、（３−Ｓ−ｃｉｓ）−３，６−ジメチル−１，４−ジオキサン−２，５−ジオン、グリコリド、ポリ（ラクチド）、ポリ（ＤＬ−ラクチド）、ポリ（グリコリド）ならびにそれらから誘導される混合物から選択される、上記７５に記載の方法。
88.  前記その他のグリコールが、エチレングリコール、１，３−プロパンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ダイマージオール、４，８−ビス（ヒドロキシメチル）−トリシクロ［５．２．１．０／２．６］デカン、１，４−シクロヘキサンジメタノール、イソソルビド、ジ（エチレングリコール）、トリ（エチレングリコール）、分子量範囲が約５００〜約４０００のポリ（アルキレンエーテル）グリコール、およびそれらから誘導される混合物から選択される、上記７５に記載の方法。
89.  前記芳香族ジカルボン酸成分が、テレフタル酸、テレフタル酸ジメチル、テレフタル酸ビス（２−ヒドロキシエチル）、テレフタル酸ビス（３−ヒドロキシプロピル）、テレフタル酸ビス（４−ヒドロキシブチル）、イソフタル酸、イソフタル酸ジメチル、イソフタル酸ビス（２−ヒドロキシエチル）、イソフタル酸ビス（３−ヒドロキシプロピル）、イソフタル酸ビス（４−ヒドロキシブチル）；２，６−ナフタレンジカルボン酸、２，６−ナフタル酸ジメチル、２，７−ナフタレンジカルボン酸、２，７−ナフタル酸ジメチル、３，４’−ジフェニルエーテルジカルボン酸、３，４’ジフェニルエーテルジカルボン酸ジメチル、４，４’−ジフェニルエーテルジカルボン酸、４，４’−ジフェニルエーテルジカルボン酸ジメチル、３，４’−ジフェニルスルフィドジカルボン酸、３，４’−ジフェニルスルフィドジカルボン酸ジメチル、４，４’−ジフェニルスルフィドジカルボン酸、４，４’−ジフェニルスルフィドジカルボン酸ジメチル、３，４’−ジフェニルスルホンジカルボン酸、３，４’−ジフェニルスルホンジカルボン酸ジメチル、４，４’−ジフェニルスルホンジカルボン酸、４，４’−ジフェニルスルホンジカルボン酸ジメチル、３，４’−ベンゾフェノンジカルボン酸、３，４’−ベンゾフェノンジカルボン酸ジメチル、４，４’−ベンゾフェノンジカルボン酸、４，４’−ベンゾフェノンジカルボン酸ジメチル、１，４−ナフタレンジカルボン酸、１，４−ナフタル酸ジメチル、４，４’−メチレンビス（安息香酸）、４，４’−メチレンビス（安息香酸）ジメチル、およびそれらから誘導される混合物から選択される、上記７５に記載の方法。
90.  前記分岐化剤が、１，２，４−ベンゼントリカルボン酸；１，２，４−ベンゼントリカルボン酸トリメチル；１，２，４−ベンゼントリカルボン酸トリス（２−ヒドロキシエチル）；１，２，４−ベンゼントリカルボン酸トリス（３−ヒドロキシプロピル）；１，２，４−ベンゼントリカルボン酸トリス（４−ヒドロキシブチル）；１，２，４−ベンゼントリカルボン酸無水物；１，３，５−ベンゼントリカルボン酸；１，２，４，５−ベンゼンテトラカルボン酸；１，２，４，５−ベンゼンテトラカルボン酸二無水物；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール；グリセロール；２−（ヒドロキシメチル）−１，３−プロパンジオール；２，２−ビス（ヒドロキシメチル）プロピオン酸；およびそれらから誘導される混合物から選択される、上記７５に記載の方法。
91.  芳香族コポリエーテルエステルを製造するための方法であって、
芳香族ジカルボン酸成分と、ヒドロキシアルカン酸成分と、単一の第一のグリコールと、ポリ（アルキレンエーテル）グリコールと、場合によってはその他のグリコールと、場合によっては有効量の着色抑制剤と、場合によっては多官能分岐化剤とを含む反応混合物を提供する工程；および
前記ジカルボン酸成分と、前記ヒドロキシアルカン酸成分と、前記単一の第一のグリコールと、前記ポリ（アルキレンエーテル）グリコールと、前記任意成分のその他のグリコールと、前記多官能分岐化剤とを重合させて、酸成分とグリコール成分とを含む芳香族コポリエーテルエステルを形成させる工程であって、
ここで前記酸成分が、
ａ．１００モルパーセントの全酸成分を基準にして、９９．０〜１．０モルパーセントの芳香族ジカルボン酸成分、および
ｂ．１００モルパーセントの全酸成分を基準にして、１．０〜９９．０モルパーセントの、乳酸、グリコール酸およびそれらの混合物から選択されるヒドロキシアルカン酸成分から本質的になり、
そしてここで、前記グリコール成分が：
ａ．約９８．９〜約１．０モルパーセントの、エチレングリコール、１，３−プロパンジオールおよび１，４−ブタンジオールから選択される単一の第一のグリコール、
ｂ．０．１〜３０．０モルパーセントのポリ（アルキレンエーテル）グリコール、
ｃ．１００モルパーセントの全グリコール成分を基準にして、０〜約５．０モルパーセントの、１種または複数のその他のグリコール、および
ｄ．０〜約５．０モルパーセントの多官能分岐化剤、を含む工程、を含む方法。
92.  前記芳香族コポリエーテルエステルが、９９〜３０モルパーセントの前記芳香族ジカルボン酸成分を含む、上記９１に記載の方法。
93.  前記芳香族コポリエーテルエステルが、９９〜５０モルパーセントの前記芳香族ジカルボン酸成分を含む、上記９１に記載の方法。
94.  前記芳香族コポリエーテルエステルが、９５〜５０モルパーセントの前記芳香族ジカルボン酸成分を含む、上記９１に記載の方法。
95.  前記芳香族コポリエーテルエステルが、１〜７０モルパーセントの前記ヒドロキシアルカン酸成分を含む、上記９１に記載の方法。
96.  前記芳香族コポリエーテルエステルが、１〜５０モルパーセントの前記ヒドロキシアルカン酸成分を含む、上記９１に記載の方法。
97.  前記芳香族コポリエーテルエステルが、５〜５０モルパーセントの前記ヒドロキシアルカン酸成分を含む、上記９１に記載の方法。
98.  前記グリコール成分が、０〜１．０モルパーセントの前記多官能分岐化剤を含む、上記９１に記載の方法。
99.  前記ヒドロキシアルカン酸成分が、乳酸、ＤＬ−乳酸、Ｌ−乳酸、グリコール酸、乳酸メチル、（Ｒ）−（＋）−乳酸メチル、（Ｓ）−（−）−乳酸メチル、グリコール酸メチル、乳酸エチル、（Ｒ）−（＋）−乳酸エチル、（Ｓ）−（−）−乳酸エチル、グリコール酸エチル、乳酸（２−ヒドロキシエチル）、（Ｒ）−（＋）−乳酸（２−ヒドロキシエチル）、（Ｓ）−（−）−乳酸（２−ヒドロキシエチル）、乳酸（３−ヒドロキシプロピル）、（Ｒ）−（＋）−乳酸（３−ヒドロキシプロピル）、（Ｓ）−（−）−乳酸（３−ヒドロキシプロピル）、乳酸（４−ヒドロキシブチル）、グリコール酸（２−ヒドロキシエチル）、グリコール酸（３−ヒドロキシプロピル）、グリコール酸（４−ヒドロキシブチル）、ラクチド、３，６−ジメチル−１，４−ジオキサン−２，５−ジオン、Ｌ−ラクチド、（３−Ｓ−ｃｉｓ）−３，６−ジメチル−１，４−ジオキサン−２，５−ジオン、グリコリド、ポリ（ラクチド）、ポリ（ＤＬ−ラクチド）、ポリ（グリコリド）ならびにそれらから誘導される混合物から選択される、上記９１に記載の方法。
100.  前記芳香族ジカルボン酸成分が、テレフタル酸、テレフタル酸ジメチル、テレフタル酸ビス（２−ヒドロキシエチル）、テレフタル酸ビス（３−ヒドロキシプロピル）、テレフタル酸ビス（４−ヒドロキシブチル）、イソフタル酸、イソフタル酸ジメチル、イソフタル酸ビス（２−ヒドロキシエチル）、イソフタル酸ビス（３−ヒドロキシプロピル）、イソフタル酸ビス（４−ヒドロキシブチル）；２，６−ナフタレンジカルボン酸、２，６−ナフタル酸ジメチル、２，７−ナフタレンジカルボン酸、２，７−ナフタル酸ジメチル、３，４’−ジフェニルエーテルジカルボン酸、３，４’ジフェニルエーテルジカルボン酸ジメチル、４，４’−ジフェニルエーテルジカルボン酸、４，４’−ジフェニルエーテルジカルボン酸ジメチル、３，４’−ジフェニルスルフィドジカルボン酸、３，４’−ジフェニルスルフィドジカルボン酸ジメチル、４，４’−ジフェニルスルフィドジカルボン酸、４，４’−ジフェニルスルフィドジカルボン酸ジメチル、３，４’−ジフェニルスルホンジカルボン酸、３，４’−ジフェニルスルホンジカルボン酸ジメチル、４，４’−ジフェニルスルホンジカルボン酸、４，４’−ジフェニルスルホンジカルボン酸ジメチル、３，４’−ベンゾフェノンジカルボン酸、３，４’−ベンゾフェノンジカルボン酸ジメチル、４，４’−ベンゾフェノンジカルボン酸、４，４’−ベンゾフェノンジカルボン酸ジメチル、１，４−ナフタレンジカルボン酸、１，４−ナフタル酸ジメチル、４，４’−メチレンビス（安息香酸）、４，４’−メチレンビス（安息香酸）ジメチル、およびそれらから誘導される混合物から選択される、上記９１に記載の方法。
101.  前記分岐化剤が、１，２，４−ベンゼントリカルボン酸；１，２，４−ベンゼントリカルボン酸トリメチル；１，２，４−ベンゼントリカルボン酸トリス（２−ヒドロキシエチル）；１，２，４−ベンゼントリカルボン酸トリス（３−ヒドロキシプロピル）；１，２，４−ベンゼントリカルボン酸トリス（４−ヒドロキシブチル）；１，２，４−ベンゼントリカルボン酸無水物；１，３，５−ベンゼントリカルボン酸；１，２，４，５−ベンゼンテトラカルボン酸；１，２，４，５−ベンゼンテトラカルボン酸二無水物；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール；グリセロール；２−（ヒドロキシメチル）−１，３−プロパンジオール；２，２−ビス（ヒドロキシメチル）プロピオン酸；およびそれらから誘導される混合物から選択される、上記９１に記載の方法。